【手続補正書】
【提出日】平成23年10月24日(2011.10.24)
【手続補正１】
【補正対象書類名】特許請求の範囲
【補正対象項目名】全文
【補正方法】変更
【補正の内容】
【特許請求の範囲】
【請求項１】
コンピュータ実装方法であって、
(a)  オンラインユーザインターフェースデバイスからのオンライン活動に応答して、前記オンラインユーザインターフェースデバイスに向けられるように、選択された第１オンライン広告を自動的に生じさせ、前記オンラインユーザインターフェースデバイスは、前記選択された第１オンライン広告が指向される時に、第１オンラインアクセス識別情報に対応し、
(b)  前記(a)工程における動作は、第１ユーザプロファイルからの情報に基づいており、この第１ユーザプロファイルが、第１セットトップボックス識別情報を参照し、またはこの識別情報を含み、
(c)  前記(b)工程における情報は、セットトップボックスに配信された少なくとも１つのテレビ広告に対するユーザ行動に関連して、自動的に収集された第１データから少なくとも一部分が導かれ、前記セットトップボックスは、前記ユーザ行動が発生する時に、前記第１セットトップボックス識別情報に対応し、
(d)  前記第１オンラインアクセス識別情報が、前記第１セットトップボックス識別情報に関連付けられることを特徴とする方法。
【請求項２】
前記第１オンラインアクセス識別情報と前記第１セットトップボックス識別情報は、前記ユーザプロファイルを参照するまたは前記ユーザプロファイル内に含まれる第１オンラインアクセス識別情報によって関連付けられることを特徴とする請求項１記載の方法。
【請求項３】
前記(a)工程は、さらに、オンラインユーザインターフェースデバイスからのオンライン活動に関係する情報に基づいていることを特徴とする請求項１記載の方法。
【請求項４】
(a)  オンラインユーザインターフェースデバイスからのオンライン活動に応答して、選択された第１オンライン広告が、自動的に、前記オンラインユーザインターフェースデバイスに向けられるようにし、このオンラインユーザインターフェースデバイスは、前記選択された第１オンライン広告が指向される時に、第１オンラインアクセス識別情報に対応し、
(b)  前記(a)工程における動作は、第１ユーザプロファイルからの情報に基づいており、このユーザプロファイルは、第１セットトップボックスを参照するまたは含み、
(c)  前記(b)工程における情報は、セットトップボックスに配信される少なくとも１つのテレビ広告に対するユーザ行動に関連して、自動的に収集された第１データから少なくとも部分的に導かれ、このセットトップボックスは、前記ユーザ行動の時に、前記第１セットトップボックス識別情報に対応し、
(d)  前記第１オンラインアクセス識別情報は、前記第１セットトップボックス識別情報に関連付けられるように、構成されかつ接続されている、少なくとも１つのコンピュータを含むことを特徴とするシステム。
【請求項５】
(a)  オンラインユーザインターフェースデバイスから選択された第１オンライン活動を自動的に追跡及び記録し、前記オンラインユーザインターフェースデバイスは、前記オンライン活動が追跡及び記録される時に、第１オンラインアクセス識別情報に対応し、
(b)  前記(a)工程における動作は、第１ユーザプロファイルからの情報に基づいており、この第１ユーザプロファイルが、第１セットトップボックス識別情報を参照し、またはこの識別情報を含み、
(c)  前記(b)工程における情報は、セットトップボックスに配信された少なくとも１つのテレビ広告に対するユーザ行動に関連して、自動的に収集された第１データから少なくとも一部分が導かれ、前記セットトップボックスは、前記ユーザ行動が発生する時に、前記第１セットトップボックス識別情報に対応し、
(d)  前記第１オンラインアクセス識別情報は、前記第１セットトップボックス識別情報に関連付けられることを含んでいるコンピュータ実装方法。
【請求項６】
(a)  オンラインユーザインターフェースデバイスから選択された第１オンライン活動を自動的に追跡及び記録し、前記オンラインユーザインターフェースデバイスは、前記オンライン活動が追跡及び記録される時に、第１オンラインアクセス識別情報に対応し、
(b)  前記(a)工程における動作は、第１ユーザプロファイルからの情報に基づいており、この第１ユーザプロファイルが、第１セットトップボックス識別情報を参照し、またはこの識別情報を含み、
(c)  前記(b)工程における情報は、セットトップボックスに配信された少なくとも１つのテレビ広告に対するユーザ行動に関連して、自動的に収集された第１データから少なくとも一部分が導かれ、前記セットトップボックスは、前記ユーザ行動が発生する時に、前記第１セットトップボックス識別情報に対応し、
(d)  前記第１オンラインアクセス識別情報は、前記第１セットトップボックス識別情報に関連付けられるように、構成されかつ接続されている、少なくとも１つのコンピュータを含むことを特徴とするシステム。
【請求項７】
第１セットトップボックスと第１オンラインユーザインターフェースデバイスを有する第１ユーザのオンライン活動を取り扱うコンピュータ実装方法であって、
(a)  コンピュータへの通知を受け入れ、この通知は、(i)第１セットトップボックス識別情報を含みまたは参照し、そして、(ii)第１セットトップボックス識別情報に対応する第１セットトップボックスを用いて表示される第１テレビ広告を生じかつ表示し、
(b)  前記通知に基づいて、前記コンピュータを用いて自動的に、第１テレビ広告の表示に続いて、第１オンラインユーザインターフェースデバイスを介して、オンライン活動に対して取られる第１動作を生じさせ、この第１オンラインユーザインターフェースデバイスが、前記第１動作時に、第１オンラインユーザインターフェースデバイス識別情報に対応しており、
(c)  前記第１オンラインユーザインターフェースデバイス識別情報は、前記第１セットトップボックス識別情報に関連付けられることを特徴とする方法。
【請求項８】
(i)前記(b)工程における第１動作と、(ii)表示された第１テレビ広告とを示す電子索引のデータベースにリンクすることをさらに含んでいることを特徴とする請求項７記載の方法。
【請求項９】
（1）コンピュータに通知を受け入れ、この通知は、(A)第２セットトップボックス識別情報を含みまたは参照し、そして、(B)第２セットトップボックス識別情報に対応する第２セットトップボックスを用いて表現される第２テレビ広告によって生じかつ表示され、
（2）前記工程（1）における前記通知に基づいて、前記コンピュータを用いて自動的に、第２テレビ広告の表示に続いて、第２オンラインユーザインターフェースデバイスを介して、オンライン活動に対して取られる第１動作と異なる第２動作を生じさせ、この第２オンラインユーザインターフェースデバイスが、前記第２動作時に、第１オンラインユーザインターフェースデバイス識別情報に対応しており、前記第２オンラインユーザインターフェースデバイス識別情報は、前記第２セットトップボックス識別情報に関連付けられている、各工程をさらに含んでいることを特徴とする請求項７記載の方法。
【請求項１０】
前記(b)工程における前記第１動作は、前記第１オンラインユーザインターフェースデバイスに指向される第１の選択されたオンライン広告を生じさせることを含んでいることを特徴とする請求項７記載の方法。
【請求項１１】
前記(b)工程における前記第１動作は、前記第１テレビ広告の表示に続いて、選択されたオンライン活動が起こったことを記録させることを含み、前記オンライン活動は、前記第１オンラインユーザインターフェースデバイスから追跡されることを特徴とする請求項７記載の方法。
【請求項１２】
前記第１オンラインユーザインターフェースデバイス識別情報及び前記第１セットトップボックス識別情報は、ユーザプロファイル内に含まれかつ参照される前記第１オンラインユーザインターフェースデバイス識別情報によって電子的に関連付けられることを特徴とする請求項７記載の方法。
【請求項１３】
前記(a)工程における通知は、前記第１セットトップボックス識別情報を含まないで、プロファイル識別情報を含むことによって前記第１セットトップボックス識別情報を参照することを特徴とする請求項７記載の方法。
【請求項１４】
前記第１オンラインユーザインターフェースデバイス識別情報及び前記第１セットトップボックス識別情報は、データベースに電子的に関連していることを特徴とする請求項７記載の方法。
【請求項１５】
前記工程(a)における通知は、さらに、前記表示された第１テレビ広告に対応するユーザの相互関係から収集されたデータを含んでいることを特徴とする請求項７記載の方法。
【請求項１６】
前記(a)工程における通知は、さらに、前記第１テレビ広告の表示中に実行されたユーザ指令から収集されたデータを含んでいることを特徴とする請求項７記載の方法。
【請求項１７】
前記第１セットトップボックス識別情報は、前記第１セットトップボックス上のタグまたはクッキーを含んでいることを特徴とする請求項７記載の方法。
【請求項１８】
前記第１セットトップボックス識別情報は、セットトップボックスＩＰアドレスを含んでいることを特徴とする請求項７記載の方法。
【請求項１９】
前記第１オンラインユーザインターフェースデバイス識別情報は、オンラインアクセスＩＰアドレスを含んでいることを特徴とする請求項７記載の方法。
【請求項２０】
前記第１オンラインユーザインターフェースデバイス識別情報は、前記第１オンラインユーザインターフェースデバイス上のタグまたはクッキーを含んでいることを特徴とする請求項７記載の方法。
【請求項２１】
前記第１オンラインユーザインターフェースデバイス上のタグまたはクッキーは、オンラインユーザインターフェースデバイスを介して以前のオンライン活動に対してユーザ行動に関係する自動的に収集されたプロファイルデータにアクセスすることが可能であり、このオンラインユーザインターフェースデバイスは、少なくとも１つのオンラインユーザインターフェースデバイス識別情報に対応し、前記少なくとも１つのオンラインユーザインターフェースデバイス識別情報は、前記第１セットトップボックス識別情報に関連していることを特徴とする請求項２０記載の方法。
【請求項２２】
前記第１オンラインユーザインターフェースデバイス識別情報は、第１オンラインアクセスＩＰアドレスを含み、当該方法は、さらに、ユーザへのテレビサービスまたはオンラインアクセスを有する少なくとも１つのプロバイダから、前記第１セットトップボックス識別情報と前記第１オンラインアクセスＩＰアドレスの関連を示す指標を受け取ることを含んでいることを特徴とする請求項７記載の方法。
【請求項２３】
(i)前記第１オンラインユーザインターフェースデバイス識別情報は、第１オンラインアクセスＩＰアドレスを含み、かつ(ii)前記第１セットトップボックス識別情報は、前記第１オンラインアクセスＩＰアドレスが、前記第１オンラインユーザインターフェースデバイスを介してオンライン活動のために用いられるとき、時間と日付に従って前記第１オンラインユーザインターフェースデバイス識別情報に関連し、この関連は、セットトップボックス識別情報、オンラインアクセスＩＰアドレス、及び対応する時間と日付を有するデータベースを用いることを特徴とする請求項７記載の方法。
【請求項２４】
前記第１セットトップボックス識別情報は、セットトップボックスＩＰアドレスを含み、前記第１オンラインユーザインターフェースデバイス識別情報は、オンラインアクセスＩＰアドレスを含み、前記第１オンラインユーザインターフェースデバイス識別情報と前記第１セットトップボックス識別情報との関連は、共通のＩＰアドレスに基づいており、このネットワークトラフィックは、対応するオンラインユーザインターフェースデバイスと対応するセットトップボックスの両方に対して通じていることを特徴とする請求項７記載の方法。
【請求項２５】
前記(b)工程における第１動作は、さらに、第１オンラインユーザインターフェースデバイスから以前のオンライン活動に関連する情報に基づいていることを特徴とする請求項７記載の方法。
【請求項２６】
セットトップボックスとオンラインユーザインターフェースデバイスを有するユーザのオンライン活動を取り扱うように構成されかつ接続されたコンピュータを含むシステムであって、
(a)  コンピュータへの通知を受け入れ、この通知は、(i)セットトップボックス識別情報を含みまたは参照し、そして、(ii)セットトップボックス識別情報に対応するセットトップボックスを用いて表示されるテレビ広告を生じかつ表示し、
(b)  前記通知に基づいて、前記コンピュータを用いて自動的に、テレビ広告の表示に続いて、オンラインユーザインターフェースデバイスを介して、オンライン活動に対して取られる動作を生じさせ、このオンラインユーザインターフェースデバイスが、前記動作時に、オンラインユーザインターフェースデバイス識別情報に対応しており、
(c)  前記オンラインユーザインターフェースデバイス識別情報は、前記セットトップボックス識別情報に関連付けられることを特徴とするシステム。
【請求項２７】
(i)前記(b)工程における動作と、(ii)表示されたテレビ広告とを示す電子索引にリンクするデータベースを含むコンピュータにアクセス可能な電子記憶装置をさらに含んでいることを特徴とする請求項２６記載のシステム。
【請求項２８】
前記(b)工程における前記動作は、前記オンラインユーザインターフェースデバイスに指向される選択されたオンライン広告を生じさせることを含んでいることを特徴とする請求項２６記載のシステム。
【請求項２９】
前記(b)工程における前記動作は、前記テレビ広告の表示に続いて、選択されたオンライン活動が起こったことを記録させることを含み、前記オンライン活動は、前記オンラインユーザインターフェースデバイスから追跡されることを特徴とする請求項２６記載のシステム。
【請求項３０】
前記セットトップボックス識別情報は、前記セットトップボックス上のタグまたはクッキーを含んでいることを特徴とする請求項２６記載のシステム。
【請求項３１】
前記オンラインユーザインターフェースデバイス識別情報は、前記オンラインユーザインターフェースデバイス上のタグまたはクッキーを含んでいることを特徴とする請求項２６記載のシステム。
【請求項３２】
コンピュータにアクセス可能な電子記憶装置を更に含み、前記コンピュータは、セットトップボックス識別情報、オンラインアクセスＩＰアドレス、及び対応する時間と日付を含み、(i)前記オンラインユーザインターフェースデバイス識別情報は、オンラインアクセスＩＰアドレスを含み、かつ(ii)前記セットトップボックス識別情報は、前記オンラインアクセスＩＰアドレスが、前記オンラインユーザインターフェースデバイスを介してオンライン活動のために用いられるとき、時間と日付に従って、データベースを用いる前記オンラインユーザインターフェースデバイス識別情報に関連付けられることを特徴とする請求項２６記載のシステム。
【請求項３３】
前記セットトップボックス識別情報は、セットトップボックスＩＰアドレスを含み、前記オンラインユーザインターフェースデバイス識別情報は、オンラインアクセスＩＰアドレスを含み、前記オンラインユーザインターフェースデバイス識別情報と前記セットトップボックス識別情報との関連は、共通のＩＰアドレスに基づいており、このネットワークトラフィックは、対応するオンラインユーザインターフェースデバイスと対応するセットトップボックスの両方に対して通じていることを特徴とする請求項２６記載のシステム。
【請求項３４】
セットトップボックス及びオンラインユーザインターフェースデバイスを有するユーザのオンライン活動を取り扱うために、コンピュータに付与されて、前記コンピュータを指示するとき、以下の方法を実行することによって、コンピュータに読取可能な指令をエンコードする有形的表現媒体を構成する物品であって、
(a)テレビ広告の表示に続いて、オンラインユーザインターフェースデバイスを介して、オンライン活動に対して取られる動作を生じさせ、このオンラインユーザインターフェースデバイスが、前記動作時に、オンラインユーザインターフェースデバイス識別情報に対応しており、
(b)この通知は、(i)セットトップボックス識別情報を含みまたは参照し、(ii)前記セットトップボックス識別情報に対応する前記セットトップボックスを用いて表示されるテレビ広告を生じかつ表示し、
(c)前記オンラインユーザインターフェースデバイス識別情報は、前記セットトップボックス識別情報に関連付けられることを特徴とする物品。
【請求項３５】
前記指令は、(i)前記動作及び(ii)前記表示されたテレビ広告を示す電子索引のデータベースにリンクするときに、保存するためにコンピュータに更に指令することを特徴とする請求項３４に記載の物品。
【請求項３６】
前記指令は、前記オンラインユーザインターフェースデバイスに指向される選択されたオンライン広告を生じさせることを含むように、前記動作を定めることを特徴とする請求項３４記載の物品。
【請求項３７】
前記指令は、前記テレビ広告の表示に続いて、選択されたオンライン活動が起こったことを記録し、このオンライン活動が前記オンラインユーザインターフェースデバイスから追跡されることを含むように、前記動作を定めることを特徴とする請求項３４記載の物品。
【請求項３８】
前記セットトップボックス識別情報は、前記セットトップボックス上のタグまたはクッキーを含んでいることを特徴とする請求項３４記載の物品。
【請求項３９】
前記オンラインユーザインターフェースデバイス識別情報は、前記オンラインユーザインターフェースデバイス上のタグまたはクッキーを含んでいることを特徴とする請求項３４記載の物品。
【請求項４０】
(i)前記オンラインユーザインターフェースデバイス識別情報は、オンラインアクセスＩＰアドレスを含み、かつ(ii)前記セットトップボックス識別情報は、前記オンラインアクセスＩＰアドレスが、前記オンラインユーザインターフェースデバイスを介してオンライン活動のために用いられるとき、時間と日付に従って前記オンラインユーザインターフェースデバイス識別情報に関連し、この関連は、セットトップボックス識別情報、オンラインアクセスＩＰアドレス、及び対応する時間と日付を有するデータベースを用いることを特徴とする請求項３４記載の物品。
【請求項４１】
前記セットトップボックス識別情報は、セットトップボックスＩＰアドレスを含み、前記オンラインユーザインターフェースデバイス識別情報は、オンラインアクセスＩＰアドレスを含み、前記オンラインユーザインターフェースデバイス識別情報と前記セットトップボックス識別情報との関連は、共通のＩＰアドレスに基づいており、このネットワークトラフィックは、対応するオンラインユーザインターフェースデバイスと対応するセットトップボックスの両方に対して通じていることを特徴とする請求項３４記載の物品。
【手続補正２】
【補正対象書類名】明細書
【補正対象項目名】００６９
【補正方法】変更
【補正の内容】
【００６９】
プロファイル識別情報の中の１つまたはいくつかは、即ち、ユーザ名、ログインＩＤ、クッキー、オンラインアクセスＩＰアドレス、及びその他は、オンラインアクセス識別情報またはその一部分として保存することができる。オンラインアクセスＩＰアドレスのユーザのオンライン活動から導かれるユーザプロファイル情報の一部分は、プロファイル識別情報またはオンラインアクセス識別情報を含み、中央広告サーバ（ＣＡＳ）４０（図４に示すアクセスされたサイト５０から、または別のプロファイルプロバイダから）に電気的に配信される。ターゲットテレビ広告は、配信されたプロファイル情報の少なくとも一部分に基づいてＣＡＳ４０によって選択される。